(57)【特許請求の範囲】
【請求項１】
一端に係合部を有し、バッテリ収納室の開口部を開閉可能なバッテリカバーと、
前記係合部に係合して前記バッテリカバーをロック可能な被係合部、および、前記係合部と前記被係合部とを係合または係合解除可能に操作するためのレバー部を有し、前記バッテリ収納室の側壁外面に設けられた第１ロック部材と、
前記係合部に前記被係合部とともに係合可能な第１辺部、および、前記第１辺部を係合位置または係合解除位置にガイドする第２辺部を有し、前記バッテリ収納室の側壁外面側に設けられた第２ロック部材と、を備えたバッテリストッパーであって、
前記第２ロック部材は、当接部を備えており、
前記第２ロック部材が前記係合位置にある時には、前記当接部が前記レバー部に当接しないことにより、前記レバー部の操作に伴う前記係合部と前記被係合部との係合が可能になる一方、前記第２ロック部材が前記係合解除位置にある時には、前記当接部が前記レバー部に当接することにより、前記レバー部の操作に伴う前記係合部と前記被係合部との係合が不可能になることを特徴とするバッテリストッパー。
【請求項２】
前記第１ロック部材が前記バッテリカバーをロックし、かつ、前記第２ロック部材が前記係合位置にある時に、前記当接部が前記被係合部に当接することにより、前記第２ロック部材の前記係合解除位置への移動が規制されることを特徴とする請求項１に記載のバッテリストッパー。
【請求項３】
前記当接部は、前記第２辺部に設けられていることを特徴とする請求項１または２に記載のバッテリストッパー。
【請求項４】
請求項１〜３のいずれかに記載のバッテリストッパーを備えたことを特徴とするバッテリ式フォークリフト。
【発明の詳細な説明】
【技術分野】
【０００１】
本発明は、バッテリストッパーおよびそれを備えたバッテリ式フォークリフトに関するものである。
【背景技術】
【０００２】
従来、バッテリ式フォークリフトにおいて、バッテリ収納室からのバッテリの飛び出しを防止するバッテリストッパーが知られている（例えば特許文献１参照）。
図６および図７に示すように、このバッテリストッパーは、バッテリ収納室の開口部を開閉可能なバッテリカバー１０と、バッテリ収納室の一方の側壁外面に設けられた第１ロック部材２０と、バッテリ収納室の一方の側壁外面側に設けられた第２ロック部材３０’と、を備える。
【０００３】
バッテリカバー１０は、一端にフック部１１を有する。バッテリカバー１０の他端は、バッテリ収納室の他方の側壁外面に設けられたヒンジ部１２に回動自在に連結されている。
【０００４】
第１ロック部材２０は、フック部１１に係合するリング部２１と、フック部１１とリング部２１とを係合または係合解除可能に操作するためのレバー部２２とを有する。
【０００５】
第２ロック部材３０’は、第１辺部３１と、第２辺部３２とを有する。
第１辺部３１は、フック部１１にリング部２１とともに係合可能な短辺形状のものである。
第２辺部３２は、第１辺部３１を係合位置（図７（Ｂ）の状態を参照）または係合解除位置（図７（Ａ）の状態を参照）にガイドする長孔３２Ａが形成された長辺形状のものである。すなわち、ピン３２Ｂがバッテリ収納室の一方の側壁外面に固定されており、長孔３２Ａにピン３２Ｂを挿入することによって、第２ロック部材３０’がバッテリ収納室の一方の側壁外面に対して上下動可能に設けられている。
【０００６】
このバッテリストッパーにおいては、まず、図７（Ａ）に示すように、第２ロック部材３０’を上方へ持ち上げた状態で、レバー部２２をフック部１１の方向に回動して、フック部１１にリング部２１を係合させる。
その後、レバー部２２をフック部１１の方向とは反対の方向に回動して、バッテリカバー１０の一番目のロックを行う。
【０００７】
その後、図７（Ｂ）に示すように、第２ロック部材３０’を下方に移動させて、フック部１１にリング部２１とともに第１辺部３１を係合させて、バッテリカバー１０の二番目のロックを行う。
以上により、バッテリカバー１０の二重ロックが行われる。
【先行技術文献】
【特許文献】
【０００８】
【特許文献１】実公平２−１８０８号公報
【発明の概要】
【発明が解決しようとする課題】
【０００９】
しかしながら、上記従来のバッテリストッパーでは、図８に示すように、上方に持ち上げられた第２ロック部材３０’は第１ロック部材２０側に傾き易く、この場合において、第２ロック部材３０’がバッテリカバー１０に未装着のままで（第２ロック部材３０’を装着し忘れた状態で）、第１ロック部材２０のみによるバッテリカバー１０のロックが行われる問題があった。
また、バッテリ式フォークリフトの走行中の振動や衝撃等により、第２ロック部材３０’がバッテリカバー１０から外れ易くなるという問題もあった。
【００１０】
そこで、本発明の課題は、第２ロック部材の未装着を防止するとともに、振動や衝撃等による第２ロック部材の外れを防止することができるバッテリストッパーおよびそれを備えたバッテリフォークリフトを提供することにある。
【課題を解決するための手段】
【００１１】
上記課題を解決するため、本発明は、（１）一端に係合部を有し、バッテリ収納室の開口部を開閉可能なバッテリカバーと、前記係合部に係合して前記バッテリカバーをロック可能な被係合部、および、前記係合部と前記被係合部とを係合または係合解除可能に操作するためのレバー部を有し、前記バッテリ収納室の側壁外面に設けられた第１ロック部材と、前記係合部に前記被係合部とともに係合可能な第１辺部、および、前記第１辺部を係合位置または係合解除位置にガイドする第２辺部を有し、前記バッテリ収納室の側壁外面側に設けられた第２ロック部材と、を備えたバッテリストッパーであって、前記第２ロック部材は、当接部を備えており、前記第２ロック部材が前記係合位置にある時には、前記当接部が前記レバー部に当接しないことにより、前記レバー部の操作に伴う前記係合部と前記被係合部との係合が可能になる一方、前記第２ロック部材が前記係合解除位置にある時には、前記当接部が前記レバー部に当接することにより、前記レバー部の操作に伴う前記係合部と前記被係合部との係合が不可能になることを特徴とするバッテリストッパーとしたものである。
【００１２】
この構成（１）によれば、第２ロック部材に当接部が備えられ、第２ロック部材が係合位置にある時に、当接部がレバー部に当接し、第２ロック部材が係合解除位置にある時に、当接部がレバー部に当接するように構成されているので、第２ロック部材がバッテリカバーに対して未装着状態となる場合には、第１ロック部材がバッテリカバーをロックすることができなくなり、これによって、第２ロック部材の未装着（装着し忘れ）が防止される。
【００１３】
上記構成（１）において、（２）前記第１ロック部材が前記バッテリカバーをロックし、かつ、前記第２ロック部材が前記係合位置にある時に、前記当接部が前記被係合部に当接することにより、前記第２ロック部材の前記係合解除位置への移動が規制されることが好ましい。
【００１４】
この構成（２）によれば、第１ロック部材および第２ロック部材がバッテリカバーをロックしている時に、当接部が第１ロック部材の被係合部に当接して第２ロック部材の係合解除位置への移動を規制するように構成されているので、振動や衝撃等による第２ロック部材の外れを防止することができる。
【００１５】
上記構成（１）または（２）において、（３）前記当接部は、前記第２辺部に設けられていることが好ましい。
【００１６】
上記構成（１）〜（３）のいずれかに記載のバッテリストッパーを、バッテリ式フォークリフトに備えることもできる。
【発明の効果】
【００１７】
本発明によれば、第２ロック部材の未装着を防止するとともに、振動や衝撃等による第２ロック部材の外れを防止することができるバッテリストッパーおよびそれを備えたバッテリフォークリフトを提供することができる。
【図面の簡単な説明】
【００１８】
【図１】本発明のバッテリストッパーを備えたバッテリ式フォークリフトの概略側面図である。
【図２】図１に示すＩ−Ｉ’方向から見た概略断面図である。
【図３】（Ａ）は第２ロック部材の正面図、（Ｂ）は（Ａ）の上面図、（Ｃ）は（Ａ）の側面図である。
【図４】バッテリストッパーの概略正面図であり、（Ａ）は、第２ロック部材のみが係合位置にある状態を示す正面図、（Ｂ）は、第１ロック部材および第２ロック部材が係合位置にある状態を示す正面図である。
【図５】（Ａ）は第２ロック部材の未装着状態を説明する概略斜視図、（Ｂ）は第１ロック部材および第２ロック部材によるバッテリカバーのロック状態を説明する概略斜視図、（Ｃ）は第２ロック部材の外れ防止を説明する概略斜視図である。
【図６】従来のバッテリストッパーを備えたバッテリ式フォークリフトの概略側面図である。
【図７】従来のバッテリストッパーの概略正面図であり、（Ａ）は、第２ロック部材が係合解除位置にある状態を示す正面図、（Ｂ）は、第１ロック部材および第２ロック部材が係合位置にある状態を示す正面図である。
【図８】従来の第２ロック部材の未装着状態を説明する概略斜視図である。
【発明を実施するための形態】
【００１９】
以下、本発明の好ましい実施例について図面を参照しながら説明する。
【００２０】
（実施例１）
図１に示すように、バッテリ式フォークリフト１において、車体２に設けられたバッテリ収納室には、バッテリ３が収納されている。
また、車体２には、下側に比較的小さなバッテリカバー１０が設けられ、上側に比較的大きなバッテリカバー１１０が設けられている。
【００２１】
バッテリ式フォークリフト１の走行時（通常動作時）には、下側のバッテリカバー１０は、後述する第１ロック部材２０および第２ロック部材３０によってロックされ、上側のバッテリカバー１１０は、後述する第１ロック部材１２０および第２ロック部材１３０によってロックされている。
【００２２】
また、バッテリ収納室にバッテリ３を収納した状態でメンテナンスを行う時には、上側のバッテリカバー１１０のみが開放され、バッテリ３の交換等でバッテリ３をバッテリ収納室から取り出す時には、下側および上側のバッテリカバー１０、１１０がともに開放されるようになっている。
【００２３】
このように、バッテリカバー１０（１１０）、第１ロック部材２０（１２０）および第２ロック部材３０（１３０）によって、バッテリ収納室からのバッテリ３の飛び出しを防止するバッテリストッパーが構成される。
【００２４】
ここで、下側のバッテリストッパー（バッテリカバー１０、第１ロック部材２０および第２ロック部材３０）と上側のバッテリストッパー（バッテリカバー１１０、第１ロック部材１２０および第２ロック部材１３０）とは同じロック機構を有しているため、以下では、下側のバッテリストッパーのロック機構について説明する。
【００２５】
図２に示すように、バッテリカバー１０は、一端にフック部（係合部）１１を有する。バッテリカバー１０の他端は、バッテリ収納室の他方の側壁外面２Ｂに設けられたヒンジ部１２に回動自在に連結され、バッテリ収納室の開口部を開閉可能となっている。
【００２６】
第１ロック部材２０は、バッテリ収納室の一方の側壁外面２Ａに設けられている。第１ロック部材２０は、フック部１１に係合するリング部（被係合部）２１と、フック部１１とリング部２１とを係合または係合解除可能に操作するためのレバー部２２とを有する。
【００２７】
図２および図３（Ａ）〜（Ｃ）に示すように、第２ロック部材３０は、バッテリ収納室の一方の側壁外面２Ａ側に設けられており、第１辺部３１と、第２辺部３２と、当接部３３と、持ち手部３４とを有する。
【００２８】
第１辺部３１は、フック部１１にリング部２１とともに係合可能な短辺形状のものである。
第２辺部３２は、第１辺部３１を係合位置または係合解除位置にガイドする長孔３２Ａが形成された長辺形状のものである。長孔３２Ａは、第２辺部３２の長手方向に沿って、上下方向に形成されている。ピン３２Ｂがバッテリ収納室の一方の側壁外面に固定されており、長孔３２Ａにピン３２Ｂを挿入することによって、第２辺部３２がバッテリ収納室の一方の側壁外面２Ａに対して上下動可能に設けられている。すなわち、第２辺部３２は、従来例と同様、第１辺部３１を係合位置（図７（Ｂ）の状態を参照）または係合解除位置（図７（Ａ）の状態を参照）にガイドするようになっている。
【００２９】
当接部３３は、第２辺部３２の右側側面の下方に設けられ、バッテリ収納室の一方の側壁外面２Ａから突出する方向にのびている。
持ち手部３４は、第１辺部３１および第２辺部３２の上方に設けられ、バッテリ収納室の一方の側壁外面２Ａから突出する方向にのびている。
【００３０】
次に、このバッテリストッパーのロック機構について、図４（Ａ）、（Ｂ）および図５（Ａ）〜（Ｃ）を参照しながら、説明する。
【００３１】
まず、作業者は、図４（Ａ）に示すように、持ち手部３４を持って第２ロック部材３０を下方に移動させて、フック部１１に第１辺部３１を係合させて一番目のロックを行う。
【００３２】
そして、図４（Ｂ）に示すように、レバー部２２をフック部１１の方向に回動して、フック部１１にリング部２１を係合させた後、レバー部２２をフック部１１の方向とは反対の方向に回動して、バッテリカバー１０の二番目のロックを行う。
以上により、バッテリカバー１０の二重ロックが行われる。
【００３３】
ここで、図５（Ａ）に示すように、第２ロック部材３０がバッテリカバー１０に未装着の状態（第２ロック部材３０が係合解除位置にあって第１ロック部材２０側に傾いた状態）で、作業者がバッテリカバー１０のロックを行う場合には、当接部３３がレバー部２２に当接することにより、レバー部２２の操作に伴うフック部１１とリング部２１との係合が不可能になる。一方、図５（Ｂ）に示すように、第２ロック部材３０がバッテリカバー１０に装着された状態（第２ロック部材３０が係合位置にある状態）で、作業者がバッテリカバー１０のロックを行う場合には、当接部３３がレバー部２２に当接しないことにより、レバー部２２の操作に伴うフック部１１とリング部２１との係合が可能になる。
【００３４】
したがって、このバッテリストッパーによれば、第２ロック部材３０がバッテリカバー１０に対して未装着状態（第２ロック部材３０を装着し忘れた状態）となる時には、第１ロック部材２０がバッテリカバー１０をロックすることができなくなり、これによって、第２ロック部材３０の未装着（装着し忘れ）が防止される。
【００３５】
また、図５（Ｃ）に示すように、第１ロック部材２０および第２ロック部材３０がバッテリカバー１０をロックしている時（第１ロック部材２０がバッテリカバー１０をロックし、かつ、第２ロック部材３０が係合位置にある時）においては、当接部３３がリング部２１に当接することにより、第２ロック部材２０の係合解除位置への移動が規制される。
【００３６】
したがって、このバッテリストッパーによれば、振動や衝撃等による第２ロック部材３０の外れを防止することができる。
【００３７】
最後に、バッテリカバー１０の二重ロックを解除するためには、レバー部２２をフック部１１の方向に回動してフック部１１からリング部２１を離した後、第２ロック部材３０を上方へ持ち上げることにより、バッテリカバー１０を開放することができる。
【００３８】
以上、本発明の好ましい実施形態を説明したが、本発明の構成はこれらの実施形態に限定されるものではない。
【００３９】
例えば、係合部および被係合部として、上記実施例のようなフック部１１およびリング部２１に限定されるものではなく、互いに係合可能な様々な公知の係合部材および被係合部材が用いられてもよい。
【００４０】
当接部３３は、上記実施例では第２辺部３１に設けられていたが、これに限定されるものではなく、第２ロック部材３０の未装着防止および外れ防止を実現するものであれば、第２ロック部材３０の任意の位置に設けられてもよい。
【符号の説明】
【００４１】
１  バッテリ式フォークリフト
２  車体
３  バッテリ
４  ストラドルレッグ
１０、１１０  バッテリカバー
１１  フック部（係合部）
１２、１１２  ヒンジ部
２０、１２０  第１ロック部材
２１  リング部（被係合部）
２２  レバー部
３０、３０’、１３０  第２ロック部材
３１  第１辺部
３２  第２辺部
３２Ａ  長孔
３２Ｂ  ピン
３３  当接部
３４  持ち手部
【図１】
0005294281.tif 000002
【図２】
0005294281.tif 000003
【図３】
0005294281.tif 000004
【図４】
0005294281.tif 000005
【図５】
0005294281.tif 000006
【図６】
0005294281.tif 000007
【図７】
0005294281.tif 000008
【図８】
0005294281.tif 000009